【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
複数の領域を有するメモリと、
第１の同期信号に同期して画像データを前記メモリのいずれかの領域に書き込み、前記第１の同期信号とは非同期に生成される第２の同期信号に同期して画像データを前記メモリのいずれかの領域から読み出すメモリ制御部と、
前記メモリ制御部に対し、画像データを書き込むべき領域を指定する第１の指定信号と画像データを読み出すべき領域を指定する第２の指定信号とを出力する領域指定部と、
を備え、
前記領域指定部は、
前記第１の指定信号の値が切り替わるタイミングよりも遅延したタイミングで前記第１の指定信号の値を保持する保持部を有し、前記第２の同期信号が検出されたときに前記保持部に保持されている値を前記第２の指定信号として出力するものであり、
前記第１の同期信号に対する前記第２の同期信号のタイミングの相対的なずれが所定範囲にある場合とそれ以外の場合とで、前記保持部により前記第１の指定信号の値を保持するタイミングを変更する
ことを特徴とするメモリ制御装置。
【請求項２】
前記領域指定部は、前記第１の同期信号に対する前記第２の同期信号のタイミングの相対的なずれが前記所定範囲にある場合に、前記相対的なずれが前記所定範囲外である場合に比べて、前記保持部により前記第１の指定信号の値を保持するタイミングを早める
ことを特徴とする請求項１に記載のメモリ制御装置。
【請求項３】
前記領域指定部は、前記第１の同期信号に対する前記第２の同期信号のタイミングの相対的なずれが前記所定範囲にある場合に、前記相対的なずれが前記所定範囲外である場合に比べて、前記保持部により前記第１の指定信号の値を保持するタイミングを遅らせる
ことを特徴とする請求項１に記載のメモリ制御装置。
【請求項４】
前記第２の同期信号の周期と前記第１の同期信号の周期のうちいずれの周期のほうが速いかを検出する速度差検出部をさらに備え、
前記領域指定部は、
前記第１の同期信号に対する前記第２の同期信号のタイミングの相対的なずれが前記所定範囲にあり、かつ、前記第２の同期信号よりも前記第１の同期信号の周期のほうが速い場合は、前記相対的なずれが前記所定範囲外である場合に比べて、前記保持部により前記第１の指定信号の値を保持するタイミングを早め、
前記相対的なずれが前記所定範囲にあり、かつ、前記第１の同期信号よりも前記第２の同期信号の周期のほうが速い場合は、前記相対的なずれが前記所定範囲外である場合に比べて、前記保持部により前記第１の指定信号の値を保持するタイミングを遅らせる
ことを特徴とする請求項１に記載のメモリ制御装置。
【請求項５】
複数の領域を有するメモリの制御方法であって、
画像データを書き込むべき領域を指定する第１の指定信号と画像データを読み出すべき領域を指定する第２の指定信号とを出力する領域指定工程と、
第１の同期信号に同期して、前記第１の指定信号で指定された前記メモリの領域に画像データを書き込む工程と、
前記第１の同期信号とは非同期に生成される第２の同期信号に同期して、前記第２の指定信号で指定された前記メモリの領域から画像データを読み出す工程と、
を含み、
前記領域指定工程は、
前記第１の指定信号の値が切り替わるタイミングよりも遅延したタイミングで前記第１の指定信号の値を保持部に保持する保持工程と、
前記第２の同期信号が検出されたときに前記保持部に保持されている値を前記第２の指定信号として出力する工程と、を含み、
前記保持工程では、前記第１の同期信号に対する前記第２の同期信号のタイミングの相対的なずれが所定範囲にある場合とそれ以外の場合とで、前記保持部により前記第１の指定信号の値を保持するタイミングを変更する
ことを特徴とするメモリ制御方法。
【請求項６】
前記保持工程では、前記第１の同期信号に対する前記第２の同期信号のタイミングの相対的なずれが前記所定範囲にある場合に、前記相対的なずれが前記所定範囲外である場合に比べて、前記保持部により前記第１の指定信号の値を保持するタイミングを早める
ことを特徴とする請求項５に記載のメモリ制御方法。
【請求項７】
前記保持工程では、前記第１の同期信号に対する前記第２の同期信号のタイミングの相対的なずれが前記所定範囲にある場合に、前記相対的なずれが前記所定範囲外である場合に比べて、前記保持部により前記第１の指定信号の値を保持するタイミングを遅らせる
ことを特徴とする請求項５に記載のメモリ制御方法。
【請求項８】
前記第２の同期信号の周期と前記第１の同期信号の周期のうちいずれの周期のほうが速いかを検出する速度差検出工程をさらに含み、
前記保持工程では、
前記第１の同期信号に対する前記第２の同期信号のタイミングの相対的なずれが前記所定範囲にあり、かつ、前記第２の同期信号よりも前記第１の同期信号の周期のほうが速い場合は、前記相対的なずれが前記所定範囲外である場合に比べて、前記保持部により前記第１の指定信号の値を保持するタイミングを早め、
前記相対的なずれが前記所定範囲にあり、かつ、前記第１の同期信号よりも前記第２の同期信号の周期のほうが速い場合は、前記相対的なずれが前記所定範囲外である場合に比べて、前記保持部により前記第１の指定信号の値を保持するタイミングを遅らせる
ことを特徴とする請求項５に記載のメモリ制御方法。
【手続補正２】
【補正対象書類名】明細書
【補正対象項目名】００１２
【補正方法】変更
【補正の内容】
【００１２】
本発明の第１態様は、複数の領域を有するメモリと、
第１の同期信号に同期して画像データを前記メモリのいずれかの領域に書き込み、前記第１の同期信号とは非同期に生成される第２の同期信号に同期して画像データを前記メモリのいずれかの領域から読み出すメモリ制御部と、
前記メモリ制御部に対し、画像データを書き込むべき領域を指定する第１の指定信号と画像データを読み出すべき領域を指定する第２の指定信号とを出力する領域指定部と、
を備え、
前記領域指定部は、
前記第１の指定信号の値が切り替わるタイミングよりも遅延したタイミングで前記第１の指定信号の値を保持する保持部を有し、前記第２の同期信号が検出されたときに前記保持部に保持されている値を前記第２の指定信号として出力するものであり、
前記第１の同期信号に対する前記第２の同期信号のタイミングの相対的なずれが所定範囲にある場合とそれ以外の場合とで、前記保持部により前記第１の指定信号の値を保持するタイミングを変更することを特徴とするメモリ制御装置である。
【手続補正３】
【補正対象書類名】明細書
【補正対象項目名】００１３
【補正方法】変更
【補正の内容】
【００１３】
本発明の第２態様は、複数の領域を有するメモリの制御方法であって、
画像データを書き込むべき領域を指定する第１の指定信号と画像データを読み出すべき領域を指定する第２の指定信号とを出力する領域指定工程と、
第１の同期信号に同期して、前記第１の指定信号で指定された前記メモリの領域に画像データを書き込む工程と、
前記第１の同期信号とは非同期に生成される第２の同期信号に同期して、前記第２の指定信号で指定された前記メモリの領域から画像データを読み出す工程と、
を含み、
前記領域指定工程は、
前記第１の指定信号の値が切り替わるタイミングよりも遅延したタイミングで前記第１の指定信号の値を保持部に保持する保持工程と、
前記第２の同期信号が検出されたときに前記保持部に保持されている値を前記第２の指定信号として出力する工程と、を含み、
前記保持工程では、前記第１の同期信号に対する前記第２の同期信号のタイミングの相対的なずれが所定範囲にある場合とそれ以外の場合とで、前記保持部により前記第１の指定信号の値を保持するタイミングを変更することを特徴とするメモリ制御方法である。